(57)【特許請求の範囲】
【請求項１】
ベースとカバーとを備え、当該ベースと当該カバーとを組み合わせることによって形成される空間内に電力量計を収容する計器箱と、
非金属材料を用いて形成され、軸部と、当該軸部の一端に設けられた頭部と、当該軸部の長手方向に沿って前記軸部および前記頭部を貫通する封印孔と、を備えたネジ状体と、
前記軸部の形状に対応した形状をなし、前記ベースと前記カバーとを組み合わせた状態において前記ベースおよび前記カバーを連続して貫通する、前記軸部を挿抜可能な貫通孔と、
前記貫通孔の上側部分に、当該貫通孔に沿って形成された溝部と、
前記貫通孔からの前記ネジ状体の脱落を防止する脱落防止機構と、
を備え、
前記頭部は、前記貫通孔に挿入不能な形状をなし、
前記軸部は、前記貫通孔に挿入され、前記頭部が前記貫通孔の入り口に当接した状態において前記頭部とは反対の先端が前記計器箱の外部に突出する長さであり、当該突出する先端に、前記軸部の長手方向に交差する方向に突起している、前記溝部の形状に対応した形状をなす突起部を設け、
前記脱落防止機構は、前記突起部を前記溝部に沿わせて前記貫通孔に前記軸部を挿入し、前記突起部が前記計器箱の外部に突出した状態で、前記ネジ状体を前記軸部の軸心を中心として回転させ、前記軸部の上側にあった前記突起部を下側へ移動させることにより、前記計器箱に係合した前記突起部と前記頭部との間に前記計器箱を挟み込むことによって前記貫通孔からの前記ネジ状体の脱落を防止することを特徴とする電力量計保護器具。
【請求項２】
前記ベースにおいて、前記貫通孔に挿入された前記ネジ状体が所定角度回転した場合に前記突起部が当接する位置に設けられ、前記ネジ状体の回転範囲を規制するストッパー部材を備えたことを特徴とする請求項１に記載の電力量計保護器具。
【請求項３】
前記ストッパー部材は、前記貫通孔の下側部分に設けられたことを特徴とする請求項２に記載の電力量計保護器具。
【発明の詳細な説明】
【技術分野】
【０００１】
この発明は、電力量計を保護する電力量計保護器具に関する。
【背景技術】
【０００２】
従来、屋外において使用される電力量計を、雨露や衝撃などから保護するために使用する計器箱があった。従来の計器箱は、ベース（本体）およびカバーを備えている。電力量計は、ベース（本体）およびカバー内に形成される空間内に収容される。カバーは、当該カバーを介して黄銅製のネジをベースに螺合させることによってベースに固定される。計器箱は、ベースおよびカバーを組み合わせた状態で設置される。ネジは、たとえば、計器箱が設置された状態において当該計器箱の下端となる位置に１箇所設けられる。
【０００３】
電力量計を収容する計器箱は、たとえば、封印線および封印具を用いて封印をおこなうことにより、電力量計の違約使用の防止対策を図っている。従来、封印線および封印具を用いる従来の封印方法を用いた計器箱の封印に際しては、まず、ベースおよびカバーにそれぞれ設けられた封印用の貫通孔と、ネジの頭部を直径方向に貫通するように設けられた貫通孔と、に封印線を通す。つぎに、各貫通孔に通された封印線を、当該封印線が弛まないように締め上げた状態で、封印具とともに圧着する。これにより、封印線の緩みが防止され、封印線が通されたネジが固定されるので、計器箱を封印することができる。
【０００４】
このような計器箱は、たとえば、電力量計の取替や調査などに際してカバーを開けることがある。従来の封印方法を用いて封印された計器箱のカバーを開ける際は、封印線を切断して、ネジを緩めていた。カバーを開けた場合、切断した封印線および当該封印線を固定していた封印具は、廃棄していた。
【発明の概要】
【発明が解決しようとする課題】
【０００５】
しかしながら、屋外において使用される電力量計の計器箱は紫外線や風雨にさらされるため、雨露などにより黄銅製のネジが経年劣化していることも少なくなく、上述した従来の技術では、ネジ本体に錆が生じている場合に、カバーを開ける際にネジ切れを生じ、錆びたネジの一部がベースのネジ穴へ残ってしまうことがあった。
【０００６】
ネジ切れてベースのネジ穴へ残ってしまったネジの一部は、頭部がなく錆びついているため、緩めたり締め付けることが難しい。このため、ネジの一部がベースのネジ穴へ残ってしまった場合は、計器箱を正常に開けることができず、計器箱の一部を破壊して電力量計の取替や調査などをおこなわなくてはならないことがあった。この場合、電力量計の取替や調査などの本来の作業に加えて計器箱の交換をおこなわなくてはならず、作業効率が悪いという問題があった。
【０００７】
また、上述した従来の技術では、電力量計の取替や調査などの本来の作業に加えて計器箱の交換をおこなわなくてはならないため、作業者の負担が大きいという問題があった。また、予定外の計器箱の交換をおこなうことにより、電力量計の設置側のコスト負担が増大するという問題があった。
【０００８】
また、上述した従来の技術では、ネジの頭部に設けられた貫通孔に封印線を通すことによって封印をおこなっているため、ネジ切れを生じた場合など、ネジが破損した場合は、再度の封印ができなくなる。この場合、上記と同様に、計器箱の交換をおこなわなくてはならず、作業効率が悪いという問題があった。また、計器箱の交換をおこなうことにより、上記と同様に、作業者の負担が大きくなるとともに、電力量計の設置側のコスト負担が増大するという問題があった。
【０００９】
また、上述した従来の技術では、カバーを開ける際に、ネジ本体に錆が生じている場合を想定して、ネジを緩めたり締めたりする作業において、当該ネジをネジ切らないように慎重におこなわなくてはならない。このため、上述した従来の技術では、作業時間が長くなってしまい、作業効率が非常に悪いという問題があった。
【００１０】
この発明は、上述した従来技術による問題点を解消するため、設置してからの経時時間の長さにかかわらず、計器箱の開閉にかかる作業効率の向上を図ることができる電力量計保護器具を提供することを目的とする。
【課題を解決するための手段】
【００１１】
上述した課題を解決し、目的を達成するため、この発明にかかる電力量計保護器具は、ベースとカバーとを備え、当該ベースと当該カバーとを組み合わせることによって形成される空間内に電力量計を収容する計器箱と、前記ベースと前記カバーとを組み合わせた状態において前記ベースおよび前記カバーを連続して貫通する貫通孔と、非金属材料を用いて形成され、前記貫通孔に対する挿抜方向に貫通する封印孔を備え、前記封印孔に引き抜き可能に挿入されるネジ状体と、前記ネジ状体が前記貫通孔に挿入された状態において、前記貫通孔からの前記ネジ状体の脱落を防止する脱落防止機構と、を備えたことを特徴とする電力量計保護器具。
【００１２】
また、この発明にかかる電力量計保護器具は、上記の発明において、前記ネジ状体の軸部の長さが、当該ネジ状体が前記貫通孔に挿入された状態において当該ネジ状体の先端が前記計器箱の外部に突出する長さとされ、前記脱落防止機構が、前記ネジ状体が前記貫通孔に挿入された状態で前記計器箱に係合する突起を備え、当該突起を前記計器箱に係合させることによって前記貫通孔からの前記ネジ状体の脱落を防止することを特徴とする。
【００１３】
また、この発明にかかる電力量計保護器具は、上記の発明において、前記ネジ状体の軸部の長さが、当該ネジ状体が前記貫通孔に挿入された状態において当該ネジ状体の先端が前記計器箱の外部に突出する長さとされ、前記脱落防止機構が、前記ネジ状体の挿入方向に交差する方向に突出する突起と、前記計器箱に設けられて前記封印孔に対する前記ネジ状体の挿抜にともなう前記突起の移動を許容する溝と、を備え、前記貫通孔に挿入された前記ネジ状体の回転により前記突起を前記計器箱に係合させることによって前記貫通孔からの前記ネジ状体の脱落を防止することを特徴とする。
【００１４】
また、この発明にかかる電力量計保護器具は、上記の発明において、前記ベースにおいて、前記貫通孔に挿入された前記ネジ状体が所定角度回転した場合に前記突起が当接する位置に設けられ、前記ネジ状体の回転範囲を規制するストッパー部材を備えたことを特徴とする。
【発明の効果】
【００１５】
この発明にかかる電力量計保護器具によれば、設置してからの経時時間の長さにかかわらず、計器箱の開閉にかかる作業効率の向上を図ることができるという効果を奏する。
【図面の簡単な説明】
【００１６】
【図１】この発明にかかる実施の形態の電力量計保護器具の構成を示す説明図（その１）である。
【図２】この発明にかかる実施の形態の電力量計保護器具の構成を示す説明図（その２）である。
【図３】この発明にかかる実施の形態の電力量計保護器具の構成を示す説明図（その３）である。
【図４】ネジ状体を示す説明図である。
【図５】この発明にかかる実施の形態の電力量計保護器具における計器箱を一部拡大して示す説明図である。
【図６】ネジ差し込み穴に挿入された状態における、計器箱に対するネジ状体の姿勢を示す説明図（その１）である。
【図７】ネジ差し込み穴に挿入された状態における、計器箱に対するネジ状体の姿勢を示す説明図（その２）である。
【図８】この発明にかかる実施の形態の電力量計保護具における封印を示す説明図である。
【図９】この発明にかかる実施の形態の電力量計保護器具の取り付け手順を示す説明図（その１）である。
【図１０】この発明にかかる実施の形態の電力量計保護器具の取り付け手順を示す説明図（その２）である。
【図１１】この発明にかかる実施の形態の電力量計保護器具の取り付け手順を示す説明図（その３）である。
【図１２】この発明にかかる実施の形態の電力量計保護器具の取り付け手順を示す説明図（その４）である。
【図１３】この発明にかかる実施の形態の電力量計保護器具の取り外し手順を示す説明図（その１）である。
【図１４】この発明にかかる実施の形態の電力量計保護器具の取り外し手順を示す説明図（その２）である。
【図１５】この発明にかかる実施の形態の電力量計保護器具の取り外し手順を示す説明図（その３）である。
【図１６】この発明にかかる実施の形態の電力量計保護器具の取り外し手順を示す説明図（その４）である。
【図１７】従来の計器箱の構成を示す説明図（その１）である。
【図１８】従来の計器箱の構成を示す説明図（その２）である。
【図１９】従来の計器箱の取り付け手順を示す説明図（その１）である。
【図２０】従来の計器箱の取り付け手順を示す説明図（その２）である。
【図２１】従来の計器箱の取り付け手順を示す説明図（その３）である。
【図２２】従来の計器箱の取り付け手順を示す説明図（その４）である。
【図２３】従来の計器箱の取り外し手順を示す説明図（その１）である。
【図２４】従来の計器箱の取り外し手順を示す説明図（その２）である。
【図２５】従来の計器箱の取り外し手順を示す説明図（その３）である。
【発明を実施するための形態】
【００１７】
以下に添付図面を参照して、この発明にかかる電力量計保護器具の好適な実施の形態を詳細に説明する。
【００１８】
（電力量計保護器具の構成）
まず、この発明にかかる実施の形態の電力量計保護器具の構成について説明する。図１、図２および図３は、この発明にかかる実施の形態の電力量計保護器具の構成を示す説明図である。
【００１９】
図１においては、この発明にかかる実施の形態の電力量計保護器具を正面から見た状態を示している。図２においては、この発明にかかる実施の形態の電力量計保護器具を分解して側方から見た状態を示している。図３においては、この発明にかかる実施の形態の電力量計保護器具を分解して斜め方向から見た状態を示している。
【００２０】
図１、図２および図３において、この発明にかかる実施の形態の電力量計保護器具１００は、図示を省略する電力量計を収容する計器箱１０１を備えている。計器箱１０１は、ベース２０１とカバー１０２とによって構成されている。ベース２０１およびカバー１０２は、それぞれ、互いに対向する側に開口を備えた略箱形形状をなしている。計器箱１０１は、ベース２０１とカバー１０２とを組み合わせることによって形成される空間内に電力量計を収容する。ベース２０１は、家屋の壁面などに固定される。
【００２１】
カバー１０２は、電力量計の測定値を読み取る読み取り窓１０３を備えている。読み取り窓１０３は、カバー１０２を板厚方向に貫通する開口１０３ａと、当該開口１０３ａに嵌め込まれた透明な板状部材１０３ｂと、によって構成されている。透明な板状部材１０３ｂは、たとえば、プラスチックなどと称される高分子材料を用いて形成することができる。
【００２２】
カバー１０２は、ベース２０１に嵌め合わされ、嵌め合わされた状態においてネジ状体１０４によってベース２０１に固定される。ネジ状体１０４は、ベース２０１およびカバー１０２にそれぞれ設けられ、ベース２０１とカバー１０２とが組み合わされた状態においてベース２０１およびカバー１０２を直線状に貫通する貫通孔としてのネジ差し込み穴２０２、２０３に挿入される。ベース２０１の背面側であって、ベース２０１に設けられたネジ差し込み穴２０３の近傍には、ネジ状体１０４の回転を規制するストッパー部材としてのネジストッパー２０４が設けられている。
【００２３】
図４は、ネジ状体１０４を示す説明図である。図４において、ネジ状体１０４は、軸部４０１と、当該軸部４０１の一端に設けられた頭部４０２と、を備えている。軸部４０１は、先端部（頭部４０２が設けられた側とは反対側の端部）に突起４０３を備えている。突起４０３は、軸部４０１の外周面から当該軸部４０１の半径方向に突出している。
【００２４】
突起４０３は、ネジ状体１０４がネジ差し込み穴２０２、２０３に挿入された状態において、ベース２０１におけるネジ差し込み穴２０３周辺部に係合し、ネジ差し込み穴２０２、２０３からのネジ状体１０４の脱落を防止する。この実施の形態においては、ネジ差し込み穴２０３周辺部や突起４０３などによって脱落防止機構を実現することができる。
【００２５】
突起４０３は、軸部４０１の長さ方向において、軸心に直交する平面に対して傾斜するように設けられたテーパー４０３ａを備えている。突起４０３にテーパー４０３ａを設けることにより、ネジ状体１０４を締める方向に回すことによって突起４０３がネジストッパー２０４に当接した後の、さらにネジ状体１０４を締める方向に回した場合における締め付け力を強くすることができ、これによってネジ状体１０４の締め付け力を強固にすることができる。
【００２６】
軸部４０１の先端部には、先端側ほど径が小さくなるように傾斜するテーパー４０１ａが設けられている。これにより、ネジ差し込み穴２０２、２０３にネジ状体１０４を差し込みやすくすることができる。軸部４０１の先端部にテーパー４０１ａを設けることにより、特に、作業空間が狭い場所での作業に際しての作業効率の向上を図ることができ、電力量計保護器具１００の取り付け作業の容易化および作業効率の向上を図ることができる。
【００２７】
頭部４０２の端面には、軸心方向に対して直交する直線状の溝４０２ａが設けられている。頭部４０２の端面に直線状の溝４０２ａを設けることにより、ネジ状体１０４を締め付けたり緩めたりする際にマイナスドライバーを用いることができる。電力量計は、敷地内における家屋の裏口側などのように人目につきにくく、比較的狭い場所に設置されることも少なくない。このため、十分な作業空間を確保することが難しく、作業者は不自然な体勢でネジ状体１０４を締め付けたり緩めたりする作業をおこなわなければならない状況があった。ネジ状体１０４を締め付けたり緩めたりする作業をおこなう作業者の体勢が不自然であると、当該作業者にかかる負担が大きくなる。
【００２８】
マイナスドライバーは電力量計に対する作業をおこなう作業者が携帯していることが多い工具の一つであり、マイナスドライバーの使用を可能とすることにより、作業者は作業環境に応じて適宜マイナスドライバーを使用することができる。これにより、手が届きやすい作業環境においては手でネジ状体１０４を回し、手が届きにくい作業環境である場合にはマイナスドライバーを用いることによって。ネジ状体１０４の締め付け作業や緩める作業を確実におこなうことができる。これによって、ネジ状体１０４を締め付けたり緩めたりする作業にかかる作業者の負担軽減を図ることができる。
【００２９】
ネジ状体１０４の頭部４０２には、磁石などの磁性部材（図示を省略する）を設けてもよい。マイナスドライバーの先端は金属材料を用いて形成されていることが一般的であるため、ネジ状体１０４の頭部４０２に磁性部材を設けることにより、マイナスドライバーの先端に磁性部材の磁力によってネジ状体１０４を吸着させた状態で、当該ネジ状体１０４をネジ差し込み穴２０２、２０３に挿入することができる。これによって、電力量計保護器具１００に対する作業を作業空間が狭い場所においておこなう場合に、ネジ状体１０４が不用意に落下してしまうことを防止できる。
【００３０】
また、ネジ状体１０４の頭部４０２に磁性部材を設けることにより、電力量計保護器具１００からネジ状体１０４を取り外す際に、マイナスドライバーの先端に磁性部材の磁力によってネジ状体１０４を吸着させた状態で、当該ネジ状体１０４をネジ差し込み穴２０２、２０３から引き抜くことができる。これによって、電力量計保護器具１００に対する作業を作業空間が狭い場所においておこなう場合に、ネジ状体１０４が不用意に落下してしまうことを防止できる。
【００３１】
ネジ状体１０４は、軸部４０１の軸心方向に沿って、軸部４０１および頭部４０２を貫通する封印孔４０４を備えている。封印孔４０４には、計器箱１０１の封印作業に際して、封印線（図８を参照）が通される。封印孔４０４は、軸部４０１の軸心方向に沿って直線状に貫通している。封印孔４０４を直線状とすることにより、封印線を通す作業の容易化を図ることができる。
【００３２】
ネジ状体１０４は、非金属材料を用いて形成されている。具体的には、ネジ状体１０４は、たとえば、プラスチックなどと称される高分子材料や、セラミック（セラミックス（ｃｅｒａｍｉｃｓ））などを用いて形成することができる。セラミックは、基本成分が金属酸化物であって、高温での熱処理によって焼き固めた焼結体であって、耐熱性が高く、硬度が高い。
【００３３】
ネジ状体１０４の外周面およびネジ差し込み穴２０３の内周面には、同一ピッチのネジ山が設けられていてもよい。ネジ状体１０４の外周面およびネジ差し込み穴２０３の内周面にネジ山を設けた場合、ネジ状体１０４を計器箱１０１に確実に固定することができる。ネジ状体１０４の外周面およびネジ差し込み穴２０３の内周面にネジ山を設けない場合、突起４０３が計器箱１０１の外部に臨む位置までネジ状体１０４をネジ差し込み穴２０３に挿入した状態であれば、ネジ差し込み穴２０３に対するネジ状体１０４の位置にかかわらず、ネジ状体１０４を回転させることができるので、作業性の向上を図ることができる。
【００３４】
図５は、この発明にかかる実施の形態の電力量計保護器具１００における計器箱１０１を一部拡大して示す説明図である。図５においては、カバー１０２側から見た状態の計器箱１０１におけるネジ差し込み穴２０２の周辺を拡大して示している。ベース２０１側から見た状態の計器箱１０１におけるネジ差し込み穴２０３も、ネジ差し込み穴２０２と同様の形状をなしている。
【００３５】
図５において、ネジ差し込み穴２０２（ネジ差し込み穴２０３）は、軸部４０１の挿入を受け付けるとともに、軸部４０１の挿入にともなう突起４０３の通過を許容するように、前方後円墳状の形状をなしている。この実施の形態において、ネジ差し込み穴２０２（ネジ差し込み穴２０３）は、上側が矩形、下側が円形となるように設けられている。ネジ差し込み穴２０２（ネジ差し込み穴２０３）のうち、軸部４０１が挿入される部分の直径は、頭部４０２の直径よりも小さい。ネジ差し込み穴２０２（ネジ差し込み穴２０３）において矩形状をなす上側部分は、突起４０３の移動を許容する溝を実現する。
【００３６】
図６および図７は、ネジ差し込み穴２０２、２０３に挿入された状態における、計器箱１０１に対するネジ状体１０４の姿勢を示す説明図である。図６および図７において、ネジ状体１０４は、突起４０３を鉛直方向における上側に向けた状態で、ネジ差し込み穴２０２、２０３に挿入される。ネジ状体１０４における軸部４０１の長さは、ネジ状体１０４における頭部４０２がカバー１０２に当接するまでネジ状体１０４をネジ差し込み穴２０２、２０３に挿入した状態において、ベース２０１の背面側に突出し、突起４０３をベース２０１よりも背面側に位置付ける程度の長さとされている。
【００３７】
これにより、ネジ差し込み穴に完全に挿入された状態のネジ状体１０４は、ネジ差し込み穴２０２、２０３内において軸心回りに回転することができる。ネジ差し込み穴２０２、２０３に完全に挿入された状態のネジ状体１０４を１８０度回転させると、突起４０３がネジストッパー２０４に当接する。これにより、ネジ状体１０４の回転角度を１８０度に制限することができる。ネジ差し込み穴２０２、２０３に挿入された状態のネジ状体１０４は、ネジ差し込み穴２０２、２０３に対する挿抜が可能な状態（図６を参照）と、ネジ差し込み穴２０２、２０３に対する挿抜が規制された状態（図７を参照）と、をとりうる。
【００３８】
ベース２０１には、図７に示した状態から図６に示した状態へのネジ状体１０４の回転角度を規制するための別のネジストッパー（図示を省略する）を設けてもよい。この場合、別のネジストッパーは、ネジストッパー２０４と同様に、ベース２０１の背面側であって、ベース２０１に設けられたネジ差し込み穴２０３の近傍に設ける。
【００３９】
これにより、ネジ状体１０４の回転角度を確実に１８０度に制限することができ、ネジ差し込み穴２０２、２０３に挿入された状態のネジ状体１０４をネジ差し込み穴２０２、２０３から引き抜く際に、突起４０３がベース２０１に引っかかることによってネジ状体１０４が引き抜きにくくなることを防止できる。ネジ状体１０４が引き抜きにくくなることを防止することにより、特に、作業空間が狭い場所での作業に際しての作業効率の向上を図ることができ、設置後の電力量計保護器具１００に対する作業の容易化および作業効率の向上を図ることができる。
【００４０】
電力量計保護器具１００には、電力量計の設置後に、不正にカバー１０２を開ける（ベース２０１からカバー１０２を取り外す）ことができないように、封印がほどこされる。封印は、封印線と封印具とを用いておこなう。図８は、この発明にかかる実施の形態の電力量計保護器具１００における封印を示す説明図である。
【００４１】
図８において、封印は、ネジ差し込み穴２０２、２０３に挿入された状態のネジ状体１０４における封印孔４０４に封印線８０１を通し、当該封印線８０１の両端を封印具８０２により圧着することによっておこなう。封印具８０２には、図示を省略する貫通孔が設けられており、当該貫通孔に封印線８０１の両端を通した状態で圧着する。
【００４２】
封印線８０１は、たとえば、銅などの金属材料を用いて形成することができる。封印具８０２は、鉛などの金属材料を用いて形成することができる。金属材料を用いて形成された封印および封印具８０２を圧着によって一体化することによって強固な封印をおこなうことができる。
【００４３】
（電力量計保護器具１００の取り付け手順）
つぎに、この発明にかかる実施の形態の電力量計保護器具１００の取り付け手順について説明する。図９、図１０、図１１および図１２は、この発明にかかる実施の形態の電力量計保護器具１００の取り付け手順を示す説明図である。図９、図１０、図１１および図１２において、この発明にかかる実施の形態の電力量計保護器具１００の取り付け作業に際しては、まず、家屋の壁面などにベース２０１を固定し、固定されたベース２０１に電力量計を取り付けた状態で、当該ベース２０１にカバー１０２を被せるようにして取り付ける。これにより、ベース２０１およびカバー１０２が家屋の壁面などに固定される。
【００４４】
つぎに、ベース２０１およびカバー１０２が家屋の壁面などに固定された状態で、ネジ差し込み穴２０２、２０３にネジ状体１０４を挿入する（図９を参照）。ネジ状体１０４は、突起４０３が鉛直方向における上側に位置するような状態で、ネジ差し込み穴２０２、２０３に挿入する。ネジ状体１０４は、頭部４０２がカバー１０２に突き当たるまで、ネジ差し込み穴２０２、２０３に挿入する。
【００４５】
頭部４０２がカバー１０２に突き当たるまでネジ状体１０４をネジ差し込み穴２０２、２０３に挿入した後は、ネジ差し込み穴２０２、２０３に挿入されたネジ状体１０４における突起４０３が、鉛直方向における下側に位置するように、当該ネジを１８０度回転させる（図１０および図１１を参照）。ネジ状体１０４の頭部４０２には直線状の溝４０２ａが設けられているため、ネジの頭部４０２にマイナスドライバー１００１を当てて当該ネジ状体１０４を回転させることができる。
【００４６】
つぎに、ネジ差し込み穴２０２、２０３に挿入され、突起４０３が鉛直方向における下側に位置付けられたネジ状体１０４における封印孔４０４に、封印線８０１を通す（図１１を参照）。封印孔４０４は、ネジ状体１０４の軸心方向に沿って、当該ネジ状体１０４を直線状に貫通しているため、封印線８０１を容易に通すことができる。
【００４７】
そして、封印孔４０４に通された封印線８０１の両端を、封印具８０２を用いて当該封印具８０２とともに圧着する（図１２を参照）。圧着作業は、ペンチなどの工具を用いておこなう。この発明にかかる実施の形態の電力量計保護器具１００においては、従来の計器箱１０１の封印に用いていた封印具８０２を、形状や圧着方法を変更することなく、そのまま利用して封印をおこなうことができる。
【００４８】
（電力量計保護器具１００の取り外し手順）
つぎに、この発明にかかる実施の形態の電力量計保護器具１００の取り外し手順について説明する。図１３、図１４、図１５および図１６は、この発明にかかる実施の形態の電力量計保護器具１００の取り外し手順を示す説明図である。この発明にかかる実施の形態の電力量計保護器具１００の取り外し作業に際しては、まず、電力量計保護器具１００にほどこされた封印を解除する。
【００４９】
具体的には、封印線８０１を切断し（図１３を参照）、切断した封印線８０１を封印具８０２とともに電力量計保護器具１００から取り外す。封印孔４０４は、ネジ状体１０４の軸心方向に沿って、当該ネジ状体１０４を直線状に貫通しているため、封印線８０１を容易に取り外すことができる。
【００５０】
つぎに、ネジ差し込み穴２０２、２０３に挿入されたネジ状体１０４における突起４０３が、鉛直方向における下側から上側に移動するように、当該ネジを１８０度回転させる（図１４および図１５を参照）。ネジ状体１０４の頭部４０２には直線状の溝４０２ａが設けられているため、ネジの頭部４０２にマイナスドライバー１００１を当てて当該ネジ状体１０４を回転させることができる。そして、ネジ状体１０４における突起４０３が鉛直方向における上側に位置した状態で、当該ネジ状体１０４を計器箱１０１から引き抜く（図１６を参照）。
【００５１】
（従来の計器箱１０１の構成）
つぎに、従来の計器箱の構成について説明する。図１７および図１８は、従来の計器箱の構成を示す説明図である。図１７においては、従来の計器箱を分解して斜め方向から見た状態を示している。図１８においては、図１７における一部を拡大した状態を示している。
【００５２】
図１７および図１８において、従来の計器箱１７０１は、ベース１７０２とカバー１７０３とを備えている。ベース１７０２は家屋の壁面などに固定され、カバー１７０３は家屋の壁面などに固定されたベース１７０２に被せるようにして当該ベース１７０２に取り付けられる。ベース１７０２およびカバー１７０３には、ベース１７０２とカバー１７０３とが組み合わされた状態においてベース１７０２およびカバー１７０３を直線状に貫通するネジ差し込み穴１７０２ａ、１７０３ａが設けられている。各ネジ差し込み穴１７０２ａ、１７０３ａには、ベース１７０２とカバー１７０３とが組み合わされた状態において、ネジ１７０４が挿入される。
【００５３】
ネジ１７０４は軸部１８０１と頭部１８０２とを備えており、軸部１８０１にはネジ山１８０１ａが設けられている。ベース１７０２に設けられたネジ差し込み穴１７０２ａの内周面には、ネジ１７０４のネジ山１８０１ａに螺合するネジ山（図示を省略する）が設けられている。
【００５４】
また、ベース１７０２およびカバー１７０３には、ベース１７０２とカバー１７０３とが組み合わされた状態においてベース１７０２およびカバー１７０３を直線状に貫通する封印用の貫通孔１７０２ｂ、１７０３ｂがそれぞれ設けられている。封印用の貫通孔１７０２ｂ、１７０３ｂは、ベース１７０２およびカバー１７０３において、それぞれ、ネジ差し込み穴１７０２ａ、１７０３ａの近傍に設けられている。ネジ１７０４の頭部１８０２には、当該頭部１８０２を当該頭部１８０２の直径方向に貫通する封印用の孔１８０２ａが設けられている。
【００５５】
（従来の計器箱１７０１の取り付け手順）
つぎに、従来の計器箱１７０１の取り付け手順について説明する。図１９、図２０、図２１および図２２は、従来の計器箱１７０１の取り付け手順を示す説明図である。図１９、図２０、図２１および図２２において、従来の計器箱１７０１の取り付け作業に際しては、この発明にかかる電力量計保護器具１００の取り付け作業と同様に、まず、家屋の壁面などにベース１７０２を固定する。そして、固定されたベース１７０２に電力量計を取り付けた状態で、当該ベース１７０２にカバー１７０３を被せるようにして取り付けて、ベース１７０２およびカバー１７０３を家屋の壁面などに固定する。
【００５６】
そして、ベース１７０２およびカバー１７０３が家屋の壁面などに固定された状態で、ネジ差し込み穴１７０２ａ、１７０３ａにネジ１７０４を挿入する。ベース１７０２に設けられたネジ差し込み穴１７０２ａの内周面にはネジ山が設けられているため、ネジ差し込み穴１７０２ａに挿入されたネジ１７０４は当該ネジ差し込み穴１７０２ａの途中で一旦止まる（図１９を参照）。ネジ１７０４が一旦止まった以降は、作業者がネジ１７０４を複数回転させることによって、当該ネジ１７０４に設けられたネジ山１８０１ａをベース１７０２に設けられたネジ差し込み穴１７０２ａの内周面に設けられたネジ山に螺合させる必要があった（図２０を参照）。このため、従来の計器箱１７０１の取り付け作業に際しては、ネジ１７０４を複数回転させる作業が繁雑であり、作業性に劣るという問題があった。
【００５７】
これに対し、この発明にかかる実施の形態の電力量計保護器具１００によれば、従来の計器箱１７０１の封印作業と比較して、ネジ状体１０４を１８０度回転させるだけの簡易な作業で、ネジ状体１０４の計器箱１０１からの脱落を防止することができる。これによって、この発明にかかる実施の形態の電力量計保護器具１００によれば、作業の容易化を図ることができ、作業性の向上を図ることができる。
【００５８】
、従来の計器箱１７０１の取り付け作業に際しては、ネジ１７０４に設けられたネジ山１８０１ａをベース１７０２に設けられたネジ差し込み穴１７０２ａの内周面に設けられたネジ山に完全に螺合させた後は、封印をおこなう。従来の計器箱１７０１の封印に際しては、まず、ネジ差し込み穴１７０２ａ、１７０３ａの近傍に設けられてベース１７０２およびカバー１７０３を直線状に貫通する封印用の貫通孔１７０２ｂ、１７０３ｂに封印線８０１を通す（図２１を参照）。
【００５９】
そして、ベース１７０２およびカバー１７０３を直線状に貫通する封印用の貫通孔１７０２ｂ、１７０３ｂに通した封印線８０１を、ネジの頭部１８０２に設けられた封印用の孔１８０２ａに通した後、当該封印線８０１の両端を、封印具８０２を用いて当該封印具８０２とともに圧着する（図２２を参照）。このように、従来の計器箱１７０１の封印に際しては、ベース１７０２およびカバー１７０３を直線状に貫通する封印用の貫通孔１７０２ｂ、１７０３ｂと、ネジの頭部１８０２に設けられた封印用の孔１８０２ａと、に封印線８０１を通さなくてはならず、作業が繁雑であり、作業性に劣るという問題があった。
【００６０】
また、従来の計器箱１７０１の封印に際しては、ネジ１７０４に設けられたネジ山１８０１ａをベース１７０２に設けられたネジ差し込み穴１７０２ａの内周面に設けられたネジ山に完全に螺合させた状態において、ベース１７０２およびカバー１７０３を直線状に貫通する封印用の貫通孔１７０２ｂ、１７０３ｂに対するネジの頭部１８０２に設けられた封印用の孔１８０２ａの向きを統一することが難しい。このため、封印作業ごとに、ネジの頭部１８０２に設けられた封印用の孔１８０２ａに封印線８０１を通す作業の状況が異なり、作業が繁雑となり、作業性に劣るという問題があった。
【００６１】
これに対し、この発明にかかる実施の形態の電力量計保護器具１００によれば、従来の計器箱１７０１に対する封印作業と比較して、計器箱１０１に設けられたネジ差し込み穴２０２、２０３に挿入されたネジ状体１０４に設けられた直線状に貫通する封印孔４０４に封印線８０１を通す作業の容易化を図ることができ、作業性の向上を図ることができる。
【００６２】
（従来の計器箱１７０１の取り外し手順）
つぎに、従来の計器箱１７０１の取り外し手順について説明する。図２３、図２４および図２５は、従来の計器箱１７０１の取り外し手順を示す説明図である。従来の計器箱１７０１の取り外し作業に際しては、まず、封印線８０１を切断し、切断した封印線８０１を封印具８０２とともに従来の計器箱１７０１から取り外すことによって封印を解除する（図２３を参照）。
【００６３】
つぎに、ネジ１７０４を従来の計器箱１７０１から取り外し（図２４を参照）、ベース１７０２からカバー１７０３を取り外す（図２５を参照）。従来の計器箱１７０１においては、ネジ１７０４に設けられたネジ山１８０１ａがベース１７０２に設けられたネジ差し込み穴１７０２ａの内周面に設けられたネジ山に螺合されているため、ネジ１７０４を複数回転させる必要があった。このため、従来の計器箱１７０１の取り外し作業に際しては、ネジ１７０４を複数回転させる作業が繁雑であり、作業性に劣るという問題があった。
【００６４】
これに対し、この発明にかかる実施の形態の電力量計保護器具１００によれば、従来の計器箱１７０１に対する封印作業と比較して、ネジ状体１０４を１８０度回転させるだけの簡易な作業で、ネジ状体１０４を計器箱１０１から取り外すことができる。これによって、この発明にかかる実施の形態の電力量計保護器具１００によれば、作業の容易化を図ることができ、作業性の向上を図ることができる。
【００６５】
以上説明したように、この発明にかかる実施の形態の電力量計保護器具１００は、ベース２０１とカバー１０２とを備え、当該ベース２０１と当該カバー１０２とを組み合わせることによって形成される空間内に電力量計を収容する計器箱１０１と、ベース２０１とカバー１０２とを組み合わせた状態においてベース２０１およびカバー１０２を連続して貫通する貫通孔を実現するネジ差し込み穴２０２、２０３と、非金属材料を用いて形成され、ネジ差し込み穴２０２、２０３に引き抜き可能に挿入されるネジ状体１０４と、を備え、ネジ状体１０４がネジ差し込み穴２０２、２０３に挿入された状態において、突起４０３をネジ差し込み穴２０３周辺部に係合させることによってネジ差し込み穴２０２、２０３からのネジ状体１０４の脱落を防止することを特徴としている。
【００６６】
この発明にかかる実施の形態の電力量計保護器具１００によれば、組み合わされた状態におけるベース２０１とカバー１０２とを固定するネジ状体１０４の計器箱１０１からの脱落を、突起４０３をネジ差し込み穴２０３周辺部に係合させることによって防止することにより、ネジ１７０４の螺合によって組み合わされた状態におけるベース１７０２とカバー１７０３とを固定する従来の計器箱１７０１と比較して、計器箱１０１の開閉にかかる作業効率の向上を図ることができる。
【００６７】
また、この発明にかかる実施の形態の電力量計保護器具１００によれば、非金属材料を用いて形成されたネジ状体１０４を用いて、組み合わされた状態におけるベース２０１とカバー１０２とを固定することにより、設置当所の状態を維持することができるので、設置してからの経時時間の長さにかかわらず、計器箱１０１の開閉にかかる作業効率の向上を図ることができる。
【００６８】
また、この発明にかかる実施の形態の電力量計保護器具１００は、ネジ状体１０４の軸部４０１の長さが、当該ネジ状体１０４がネジ差し込み穴２０２、２０３に挿入された状態において当該ネジ状体１０４の先端が計器箱１０１の外部に突出する長さとされ、脱落防止機構が、ネジ状体１０４がネジ差し込み穴２０２、２０３に挿入された状態で計器箱１０１に係合する突起４０３を備え、当該突起４０３を計器箱１０１に係合させることによってネジ差し込み穴２０２、２０３からのネジ状体１０４の脱落を防止することを特徴としている。
【００６９】
この発明にかかる実施の形態の電力量計保護器具１００によれば、簡易な構成によって、組み合わされた状態におけるベース２０１とカバー１０２とを固定するネジ状体１０４の計器箱１０１からの脱落を防止することができる。これによって、ネジ１７０４の螺合によって組み合わされた状態におけるベース１７０２とカバー１７０３とを固定する従来の計器箱１７０１と比較して、計器箱１０１の開閉にかかる作業効率の向上を図ることができる。
【００７０】
また、この発明にかかる実施の形態の電力量計保護器具１００は、ネジ状体１０４の軸部４０１の長さが、当該ネジ状体１０４がネジ差し込み穴２０２、２０３に挿入された状態において当該ネジ状体１０４の先端が計器箱１０１の外部に突出する長さとされ、脱落防止機構が、ネジ状体１０４の挿入方向に交差する方向に突出する突起４０３と、計器箱１０１に設けられてネジ差し込み穴２０２、２０３に対するネジ状体１０４の挿抜にともなう突起４０３の移動を許容する溝と、を備え、ネジ差し込み穴２０２、２０３に挿入されたネジ状体１０４の回転により突起４０３を計器箱１０１に係合させることによってネジ差し込み穴２０２、２０３からのネジ状体１０４の脱落を防止することを特徴としている。
【００７１】
この発明にかかる実施の形態の電力量計保護器具１００によれば、計器箱１０１に対する作業をおこなう作業者が通常携帯しているマイナスドライバー１００１を用いてネジ状体１０４を回転させることができる。これによって、ネジ状体１０４の回転にかかる作業者の負担軽減を図り、計器箱１７０１と比較して、計器箱１０１の開閉にかかる作業効率の向上を図ることができる。
【００７２】
また、この発明にかかる実施の形態の電力量計保護器具１００は、ベース２０１において、ネジ差し込み穴２０２、２０３に挿入されたネジ状体１０４が所定角度回転した場合に突起４０３が当接する位置に設けられ、ネジ状体１０４の回転範囲を規制するストッパー部材を実現するネジストッパー２０４を備えたことを特徴としている。
【００７３】
この発明にかかる実施の形態の電力量計保護器具１００によれば、ネジストッパー２０４によってネジ状体１０４の回転範囲を規制することにより、ネジ状体１０４の過剰な回転を防止し、ネジ状体１０４を必要最低限回転させるだけで当該ネジ状体１０４を計器箱１０１から挿抜することができる。これによって、ネジ状体１０４の回転にかかる作業者の負担軽減を図り、計器箱１７０１と比較して、計器箱１０１の開閉にかかる作業効率の向上を図ることができる。
【産業上の利用可能性】
【００７４】
以上のように、この発明にかかる電力量計保護器具は、電力量計を保護する電力量計保護器具に有用であり、特に、雨露にさらされる環境に設置される電力量計を保護する電力量計保護器具に適している。
【符号の説明】
【００７５】
１００  電力量計保護器具
１０１  計器箱
１０２  カバー
１０４  ネジ状体
２０１  ベース
２０２、２０３  ネジ差し込み穴
４０４  封印孔
【図１】
0005415470.tif 000002
【図２】
0005415470.tif 000003
【図３】
0005415470.tif 000004
【図４】
0005415470.tif 000005
【図５】
0005415470.tif 000006
【図６】
0005415470.tif 000007
【図７】
0005415470.tif 000008
【図８】
0005415470.tif 000009
【図９】
0005415470.tif 000010
【図１０】
0005415470.tif 000011
【図１１】
0005415470.tif 000012
【図１２】
0005415470.tif 000013
【図１３】
0005415470.tif 000014
【図１４】
0005415470.tif 000015
【図１５】
0005415470.tif 000016
【図１６】
0005415470.tif 000017
【図１７】
0005415470.tif 000018
【図１８】
0005415470.tif 000019
【図１９】
0005415470.tif 000020
【図２０】
0005415470.tif 000021
【図２１】
0005415470.tif 000022
【図２２】
0005415470.tif 000023
【図２３】
0005415470.tif 000024
【図２４】
0005415470.tif 000025
【図２５】
0005415470.tif 000026